【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
第１の無線信号から、パイロット記号と非パイロット記号とを含む制御記号を得ることと、
前記非パイロット記号に対してソフト判定を発生することと、
前記第１の無線信号の周波数追跡を実行するために、前記パイロット記号と前記非パイロット記号の両方を用いることと、
を備える方法。
【請求項２】
前記非パイロット記号に対してソフト判定を発生することは、各非パイロット記号を重み付けすることを備える、請求項１に記載の方法。
【請求項３】
前記ソフト判定は、重み係数を乗算された非パイロット記号を備える、請求項２に記載の方法。
【請求項４】
周波数追跡のためにパイロット記号とソフト判定を用いることは、クロス積を計算して残留周波数誤差を発生することを備える、請求項１に記載の方法。
【請求項５】
クロス積を計算することは、パイロット記号の内の１つにソフト判定の内の１つの共役複素数をクロス乗算することを備える、請求項４に記載の方法。
【請求項６】
クロス積を計算することは、ソフト判定の内の１つにパイロット記号の内の１つの共役複素数をクロス乗算することを備える、請求項４に記載の方法。
【請求項７】
クロス積を計算することは、パイロット記号とソフト判定とから成る第１の集合に、パイロット記号とソフト判定から成る第２の集合の共役複素数をクロス乗算することを備える、請求項４に記載の方法。
【請求項８】
前記第１の集合と前記第２の集合は、少なくとも１つの共通記号を含む、請求項７に記載の方法。
【請求項９】
前記共通記号は、前記第１の集合中での最初の記号であり、また、前記第２の集合中での最後の記号である、請求項８に記載の方法。
【請求項１０】
周波数追跡に応答して前記第１の無線信号の周波数を調整することをさらに備える、請求項１に記載の方法。
【請求項１１】
ソフト判定には、記号が１であるか−１であるかに関する判定と、記号が１であるか−１であるかに関する判定の信頼水準とが含まれる、請求項１に記載の方法。
【請求項１２】
ソフト判定を発生することは、双曲正接関数を適用してソフト判定を計算することを含む、請求項１に記載の方法。
【請求項１３】
ソフト判定を発生することは、双曲正接関数の近似式を適用してソフト判定を計算することを含む、請求項１に記載の方法。
【請求項１４】
ソフト判定を発生することは、符号関数を用いて、非パイロット記号が１であるか−１であるかに関する判定を計算することを備える、請求項１に記載の方法。
【請求項１５】
前記第１の無線信号は、スペクトル拡散ＣＤＭＡ信号である、請求項１に記載の方法。
【請求項１６】
各非パイロット記号を重み付けすることは、前記第１の無線信号の強度にしたがって各非パイロット記号に重み付けすることを含む、請求項２に記載の方法。
【請求項１７】
各非パイロット記号を重み付けすることは、前記第１の無線信号と関連する信号対雑音比と干渉比とにしたがって各非パイロット記号に重み付けすることを含む、請求項２に記載の方法。
【請求項１８】
クロス積を計算して残留周波数誤差を計算することと、前記クロス積を累算して前記第１の無線信号の周波数誤差の推定値を計算することとをさらに備える、請求項４に記載の方法。
【請求項１９】
前記非パイロット記号は、トランスポートフォーマット組み合わせインジケータ、送信出力制御インジケータおよびフィードバックインジケータを含む、請求項１に記載の方法。
【請求項２０】
第１の無線信号から、パイロット記号と非パイロットとを含む制御記号を得ることと、
各非パイロット記号に重み係数を割り当てることと、
前記第１の無線信号の周波数追跡を実行するために、パイロット記号と重み付けされた非パイロット記号とを用いることと、
を備える方法。
【請求項２１】
実行されると、
第１の無線信号から、パイロット記号と非パイロット記号とを含む制御記号を獲得し、
前記非パイロット記号に対してソフト判定を発生し、
前記パイロット記号と前記ソフト判定とを用いて前記第１の無線信号の周波数追跡を実行する、
プログラムコードを担持するコンピュータ読み取り可能媒体。
【請求項２２】
信号の信号周波数を調整するローテータと、
非パイロット記号に対してソフト判定を決定するソフト判定発生器と、
前記ローテータへのフィードバックループ及び前記信号と関連する周波数誤差の推定値を提供するソフト判定発生器とを具備し、
前記フィードバックループが、パイロット記号と前記ソフト判定とを用いて周波数誤差の推定値を発生する、
装置。
【請求項２３】
前記信号を前記ローテータに送る以前に受信して調節する送受信器と、
前記ローテータが前記信号の信号周波数を調整した後に前記信号を復調する復調器と、
パイロット記号と非パイロット記号とを得る記号発生器と、
前記パイロット記号と前記非パイロット記号とを処理するディジタル信号プロセッサと、
をさらに備える、請求項２２に記載の装置。
【請求項２４】
前記フィードバックループは周波数弁別器と累算器とを含み、前記周波数弁別器は、パイロット記号と非パイロット記号を用いて残留周波数誤差推定値を計算して、前記残留周波数誤差推定値を前記累算器に送って、周波数誤差の推定値を発生する、請求項２２に記載の装置。
【請求項２５】
前記ソフト判定発生器は、ソフト判定を発生する双曲正接ユニットを含む、請求項２２に記載の装置。
【請求項２６】
前記周波数弁別器は、残留周波数誤差を推定するクロス積発生器を含む、請求項２２に記載の装置。
【請求項２７】
前記装置はレーキ受信器の一部を形成し、
多くのフィンガーによって追跡された多くの信号の信号周波数を調整する多くのローテータと、
前記信号と関連した周波数誤差の推定値を提供する前記多くのローテータへの多くのフィードバックループであり、前記フィードバックループが、パイロット記号と非パイロット記号を用いて周波数誤差の推定値を発生する、前記多くのフィードバックループと、
をさらに備える、請求項２２に記載の装置。
【請求項２８】
アンテナと、
信号を受信して前記信号を調節する、前記アンテナに結合された送受信器と、
前記信号の周波数を調整する、前記送受信器に結合されたローテータと、
前記信号を復調する、前記ローテータに結合された復調器と、
前記復調された信号から制御記号を得る、前記復調器に結合された記号発生器であり、前記制御記号にはパイロット記号と非パイロット記号とが含まれる、前記記号発生器と、
非パイロット記号に対するソフト判定を発生する、前記記号発生器に結合されたソフト判定発生器と、
パイロット記号とソフト判定を用いて残留周波数誤差推定値を計算する、前記ソフト発生器に結合された周波数弁別器と、
前記信号と関連する誤差推定値を累算する、前記周波数弁別器と前記ローテータとに結合された累算器とを具備し、
前記ローテータが、前記信号と関連する前記誤差推定値に基づいて前記信号の周波数を調整する、
装置。
【請求項２９】
前記装置はレーキ受信器の一部を形成し、
多くの信号を追跡する多くのフィンガーであり、前記フィンガーの各々が、ローテータと、前記ローテータに結合された復調器と、前記復調器に結合された記号発生器と、前記記号発生器に結合されたソフト判定発生器と、前記ソフト発生器に結合された周波数弁別器と、前記周波数弁別器と前記ローテータとに結合された累算器とを含む、前記多くのフィンガー、
をさらに備える、請求項２８に記載の装置。